(57)【要約】【課題】  二つのオペレーション・システムを別々のパーティションにインストールするしかないという欠点を改善したり、ＲＡＭディスクによりコンピュータの性能を向上したり、この二つのオペレーション・システムの資源を共用したりするオペレーション・システムの共用パーティションの構造及びその方法を提出する。【解決手段】  第１のオペレーション・システムが第２のオペレーション・システムを保存し、ＲＡＭディスクが第２のオペレーション・システムの実行できる記憶装置としてシミュレートし、基本入出力システムが第２のオペレーション・システムをＲＡＭディスクにロードして実行し、インターフェースユニットが第１のオペレーション・システムのデータパラメータとマルチメディア再生システムに関する係数とを転換して第２のオペレーション・システムにおいて共用する。【選択図】      図１
2006164216.tif 000002
【特許請求の範囲】
【請求項１】
ファイルシステムを含む第１のオペレーション・システムと、
前記第１のオペレーション・システムの前記ファイルシステムに保存された第２のオペレーション・システムと、
メモリの一部を記憶装置とするＲＡＭディスクと、
コンピュータの起動設定を制御し、前記第２のオペレーション・システムを前記ＲＡＭディスクにロードする基本入出力システムと、
を含むことを特徴とするオペレーション・システムの共用パーティションの構造。
【請求項２】
請求項１において、前記第２のオペレーション・システムは圧縮ファイルであることを特徴とするオペレーション・システムの共用パーティションの構造。
【請求項３】
請求項１において、前記第２のオペレーション・システムは実行ファイルであることを特徴とするオペレーション・システムの共用パーティションの構造。
【請求項４】
請求項１において、前記第２のオペレーション・システムはイメージファイルであることを特徴とするオペレーション・システムの共用パーティションの構造。
【請求項５】
請求項１において、前記第１のオペレーション・システムのシステムリソース消費は前記第２のオペレーション・システムのシステムリソース消費より大きいことを特徴とするオペレーション・システムの共用パーティションの構造。
【請求項６】
ファイルシステムを含む第１のオペレーション・システムを提供するステップと、
前記第１のオペレーション・システムの前記ファイルシステムに保存された第２のオペレーション・システムを提供するステップと、
基本入出力システムにより前記第２のオペレーション・システムをＲＡＭディスクにロードして実行するステップと、
を含むことを特徴とするオペレーション・システムの共用パーティションの方法。
【請求項７】
請求項６において、更に第１のオペレーション・システムの提供を完了して、前記第２のオペレーション・システムを圧縮して圧縮ファイルとするステップを含むことを特徴とするオペレーション・システムの共用パーティションの方法。
【請求項８】
請求項７において、基本入出力システムにより前記圧縮ファイルを解凍するステップを含むことを特徴とするオペレーション・システムの共用パーティションの方法。
【請求項９】
請求項６において、更に第１のオペレーション・システムの提供を完了して、前記第２のオペレーション・システムを圧縮して実行ファイルとするステップを含むことを特徴とするオペレーション・システムの共用パーティションの方法。
【請求項１０】
請求項９において、基本入出力システムにより前記実行ファイルを実行するステップを含むことを特徴とするオペレーション・システムの共用パーティションの方法。
【請求項１１】
少なくとも一つのデータパラメータを記録するファイルシステムを含む第１のオペレーション・システムと、
前記第１のオペレーション・システムの前記ファイルシステムに保存された第２のオペレーション・システムと、
メモリの一部を記憶装置とするＲＡＭディスクと、
コンピュータの起動設定を制御し、前記第２のオペレーション・システムを前記ＲＡＭディスクにロードする基本入出力システムと、
前記第２のオペレーション・システムにおいて、インターフェースユニットを通し前記データパラメータを転換して、前記第１のオペレーション・システムのデータパラメータを使用する応用ユニットと、
を含むことを特徴とするオペレーション・システムの共用パーティションの構造。
【請求項１２】
請求項１１において、前記応用ユニットはマルチメディア再生システムであることを特徴とするオペレーション・システムの共用パーティションの構造。
【請求項１３】
請求項１１において、前記第２のオペレーション・システムは圧縮ファイルであることを特徴とするオペレーション・システムの共用パーティションの構造。
【請求項１４】
請求項１１において、前記第２のオペレーション・システムは実行ファイルであることを特徴とするオペレーション・システムの共用パーティションの構造。
【請求項１５】
請求項１１において、前記第２のオペレーション・システムはイメージファイルであることを特徴とするオペレーション・システムの共用パーティションの構造。
【請求項１６】
請求項１１において、前記第１のオペレーション・システムのシステムリソース消費は前記第２のオペレーション・システムのシステムリソース消費より大きいことを特徴とするオペレーション・システムの共用パーティションの構造。
【請求項１７】
ファイルシステムを含む第１のオペレーション・システムを提供するステップと、
前記第１のオペレーション・システムの前記ファイルシステムにあるデータパラメータを提供するステップと、
前記第１のオペレーション・システムの前記ファイルシステムに保存された第２のオペレーション・システムを提供するステップと、
基本入出力システムにより前記第２のオペレーション・システムをＲＡＭディスクにロードして実行するステップと、
を含むことを特徴とするオペレーション・システムの共用パーティションの方法。
【請求項１８】
請求項１７において、更に第１のオペレーション・システムの提供を完了して、前記第２のオペレーション・システムを圧縮して圧縮ファイルとするステップを含むことを特徴とするオペレーション・システムの共用パーティションの方法。
【請求項１９】
請求項１８において、基本入出力システムにより前記圧縮ファイルを解凍するステップを含むことを特徴とするオペレーション・システムの共用パーティションの方法。
【請求項２０】
請求項１７において、更に第１のオペレーション・システムの提供を完了して、前記第２のオペレーション・システムを圧縮して実行ファイルとするステップを含むことを特徴とするオペレーション・システムの共用パーティションの方法。
【請求項２１】
請求項２０において、基本入出力システムにより前記実行ファイルを実行するステップを含むことを特徴とするオペレーション・システムの共用パーティションの方法。
【請求項２２】
ファイルシステムを含む第１のオペレーション・システムと、
前記第１のオペレーション・システムにおいて、少なくとも一つのビデオ・オーディオデータを再生するマルチメディア再生システムと、
前記第１のオペレーション・システムの前記ファイルシステムに保存された第２のオペレーション・システムと、
メモリの一部を記憶装置とするＲＡＭディスクと、
コンピュータの起動設定を制御し、前記第２のオペレーション・システムを前記ＲＡＭディスクにロードする基本入出力システムと、
前記第２のオペレーション・システムにおいて、前記マルチメディア再生システムを実行できるように、前記マルチメディア再生システムを転換するインターフェースユニットと、
を含むことを特徴とするオペレーション・システムの共用パーティションの構造。
【請求項２３】
請求項２２において、前記第２のオペレーション・システムは圧縮ファイルであることを特徴とするオペレーション・システムの共用パーティションの構造。
【請求項２４】
請求項２２において、前記第２のオペレーション・システムは実行ファイルであることを特徴とするオペレーション・システムの共用パーティションの構造。
【請求項２５】
請求項２２において、前記第２のオペレーション・システムはイメージファイルであることを特徴とするオペレーション・システムの共用パーティションの構造。
【請求項２６】
請求項２２において、前記第１のオペレーション・システムのシステムリソース消費は前記第２のオペレーション・システムのシステムリソース消費より大きいことを特徴とするオペレーション・システムの共用パーティションの構造。
【請求項２７】
ファイルシステムを含む第１のオペレーション・システムを提供するステップと、
前記第１のオペレーション・システムにおいて、少なくとも一つのビデオ・オーディオデータを再生するマルチメディア再生システムを提供するステップと、
前記第１のオペレーション・システムの前記ファイルシステムに保存された第２のオペレーション・システムを提供するステップと、
基本入出力システムにより前記第２のオペレーション・システムをＲＡＭディスクにロードして実行するステップと、
前記第２のオペレーション・システムにおいて前記マルチメディア再生システムを実行できるように、前記マルチメディア再生システムを転換するインターフェースユニットを使用するステップと、
を含むことを特徴とするオペレーション・システムの共用パーティションの方法。
【請求項２８】
請求項２７において、更に第１のオペレーション・システムの提供を完了して、前記第２のオペレーション・システムを圧縮して圧縮ファイルとするステップを含むことを特徴とするオペレーション・システムの共用パーティションの方法。
【請求項２９】
請求項２８において、基本入出力システムにより前記圧縮ファイルを解凍するステップを含むことを特徴とするオペレーション・システムの共用パーティションの方法。
【請求項３０】
請求項２７において、更に第１のオペレーション・システムの提供を完了して、前記第２のオペレーション・システムを圧縮して実行ファイルとするステップを含むことを特徴とするオペレーション・システムの共用パーティションの方法。
【請求項３１】
請求項３０において、基本入出力システムにより前記実行ファイルを実行するステップを含むことを特徴とするオペレーション・システムの共用パーティションの方法。
【発明の詳細な説明】
【技術分野】
【０００１】
本発明は、オペレーション・システムの共用パーティションの構造及びその方法に関し、特に、第２のオペレーション・システムを第１のオペレーション・システムのファイルシステムに保存し、基本入出力システムにより前記第２のオペレーション・システムをＲＡＭディスクにロードして実行するオペレーション・システムの共用パーティションの構造及びその方法に関する。
【背景技術】
【０００２】
オペレーション・システムの発展には、Ｌｉｎｕｘ（登録商標）とＷｉｎｄｏｗｓ（登録商標）が主な二つのオペレーション・システムである。Ｌｉｎｕｘについては、１９９０年秋から発展している。しかし、発展の時間が遅かったので、色々な問題はまた存在し、例えば、製品の夫々のライブラリ、周辺装置のデバイスドライバ、ヒューマンマシンインタフェース（Ｈｕｍａｎ−Ｍａｃｈｉｎｅ  Ｉｎｔｅｒｆａｃｅ；ＨＭＩ）及びソフトなどである。各々のメーカのチップ或いはプラットフォームの普遍性及び互換性の不足のため、Ｌｉｎｕｘ技術の開発者は相当な模索する時間と重複開発のコストが掛かる。Ｗｉｎｄｏｗｓオペレーション・システムは世界で最も大きなソフト王国であるマイクロソフトが発展しているため、夫々のライブラリ、周辺装置のデバイスドライバ、ヒューマンマシンインタフェース及びソフトなどにはよい技術支援がある。その上、簡単な分配、管理及び使用や、企業レベルの信頼度と互換性や、作成しやすい動的な企業ネットワークとインターネットや、統合されたアプリケーションサーバや維持コストの削減などの長所を提供する。Ｗｉｎｄｏｗオペレーション・システムは強いシステム資源の優位を持っているが、システム資源消費も連れて来た。ユーザはコンピュータをつける時、長い時間が掛かり、Ｗｉｎｄｏｗｓオペレーション・システムの起動を待つことがよくある。Ｌｉｎｕｘオペレーション・システムは必要なカーネルと実行したいソフトさえロードすれば、起動を完成し、他の余分なシステム資源とソフトをロードする必要がない。よって、オペレーション・システムの起動には、Ｌｉｎｕｘオペレーション・システムはＷｉｎｄｏｗｓオペレーション・システムよりかなり速い。
【０００３】
Ｌｉｎｕｘオペレーション・システムのパーティション設定はＷｉｎｄｏｗｓオペレーション・システムとは異なり、Ｗｉｎｄｏｗｓオペレーション・システムはＦＡＴ３２のファイルシステムを使用し、Ｌｉｎｕｘオペレーション・システムはｅｘｔ２ファイルシステムを使用する。よって、二つのオペレーション・システムはひとつの記憶装置に共存すると、ユーザはこの記憶装置を二つのパーティション領域に区切り、二つのパーティション領域に異なるファイルシステムを設けて二つのオペレーション・システムを夫々インストールする。従って、ユーザはその一つのオペレーション・システムを実行すると、他のオペレーション・システムを実行できず、その上、同じアプリケーションソフトを二つのパーティション領域にインストールしたから、資源を浪費する。よって、どのように二つのオペレーション・システムを同じパーティション領域に共存するとともに、二つのオペレーション・システムを使用できるのは必要な研究だと思っている。
【０００４】
データは記憶装置に保存しなければならない、オペレーション・システムも例外ではない。オペレーション・システムとデータを使用する時、オペレーション・システムとデータとをメモリにロードして実行するが、アプリケーションソフトが大き過ぎる或いは同時に実行するアプリケーションソフトが多すぎると、メモリ容量を超える。この問題を解決するため、一般的な方法は記憶装置を区分けし、専用の領域に HYPERLINK "http://e-words.jp/w/E383A1E383A2E383AA.html" メモリ容量を超えた部分を保存する。この部分は普通に一時に使われていないデータである。もし、コンピュータはこの部分のデータを使用する時、記憶装置よりメモリに書き戻すとともに、他の一時に使われていないデータをメモリより記憶装置に書き込み、この動作はスワッピング（ｓｗａｐｐｉｎｇ）と呼ばれる。然しながら、仮にメモリ容量が少ないと、コンピュータは記憶装置と HYPERLINK "http://e-words.jp/w/E383A1E383A2E383AA.html" メモリとのスワップ動作が頻繁に起こり、処理速度は低下する。
【０００５】
然しながら、情報技術の進みのおかけで、メモリ容量が増えてきて、コンピュータの使用できるメモリ領域が大きくなり、性能も向上する。ＲＡＭディスクの概念はこれから生まれ、メモリの一部をハードディスクの代わりに使う機能である。メモリのアクセス・スピードはハードディスクより非常に速い特性により、頻繁にアクセスするデータをメモリに保存しておくと処理時間を短くできる。
【発明の開示】
【発明が解決しようとする課題】
【０００６】
従って、上記の問題をめぐって、どのように、この二つのオペレーション・システムを別々のパーティションにインストールするしか使用できず従来技術の欠点を改善したり、ＲＡＭディスクによりコンピュータの性能を向上したり、この二つのオペレーション・システムの資源を共用したりするオペレーション・システムの共用パーティションの構造及びその方法を提出するのは、本発明が解決しようとする課題である。
【０００７】
本発明の目的の一つは、基本入出力システムにより第１のオペレーション・システムのファイルシステムに保存された第２のオペレーション・システムをＲＡＭディスクにロードして実行して、二つのオペレーション・システムがパーティションを共用するオペレーション・システムの共用パーティションの構造及びその方法を提出することにある。
【０００８】
本発明の他の目的は、基本入出力システムで第１のオペレーション・システムのファイルシステムに保存された第２のオペレーション・システムをＲＡＭディスクにロードし、メモリの快速なアクセスの特性を通して、コンピュータの性能を向上することにある。
【０００９】
本発明の更に他の目的は、インターフェースユニットを通し、第１のオペレーション・システムのデータパラメータとマルチメディア再生システムに関する係数とを転換して、第２のオペレーション・システムにおいて第１のオペレーション・システムのデータパラメータとマルチメディア再生システムとを共用したり、より大きいシステムリソース消費の第１のオペレーション・システムの待つ起動時間を減少したり、データパラメータとマルチメディア再生システムを使用するユーザの要求を速く満足したり、保存する容量を節約したり、資源を共用したりすることにある。
【課題を解決するための手段】
【００１０】
上述の目的と長所を達成するため、本発明には、第１のオペレーション・システムが第２のオペレーション・システムを保存し、ＲＡＭディスクが第２のオペレーション・システムの実行できる記憶装置としてシミュレートし、基本入出力システムが第２のオペレーション・システムをＲＡＭディスクにロードして実行し、インターフェースユニットが第１のオペレーション・システムのデータパラメータとマルチメディア再生システムに関する係数とを転換して第２のオペレーション・システムにおいて第１のオペレーション・システムのデータパラメータとマルチメディア再生システムとを共用できる。
【発明の効果】
【００１１】
本発明は、記憶装置にオペレーション・システムをアクセスすることのかわりに、ＲＡＭディスクに保存するオペレーション・システムをアクセスするから、処理時間が短くなる。更に、より低いシステムリソース消費の第２のオペレーション・システムを実行することにより、オペレーション・システムの待つ起動時間の減少と保存する容量の節約との長所が達成できる。
【発明を実施するための最良の形態】
【００１２】
審査官が本発明の構造の特徴及びその効果を更に解るため、本発明を以下に実施の形態で詳細に説明する。
【００１３】
図１は、本発明のオペレーション・システムの共用パーティション構造を示す。この構造は、基本入出力システム１５と、第１のオペレーション・システム２０と、第２のオペレーション・システム２５と、ＲＡＭディスク３０を含む。上述の第１のオペレーション・システム２０は上述の第２のオペレーション・システム２５を保存するためのファイルシステムを含む。上述のＲＡＭディスク３０はメモリの一部を記憶装置とする領域である。上述の基本入出力システム１５はコンピュータの起動設定を制御し、上述の第２のオペレーション・システム２５を上述のＲＡＭディスク３０にロードして実行する。よって、ユーザは、上述の第２のオペレーション・システム２５の保存するため、記憶装置を分割する必要がない。上述の第２のオペレーション・システム２５は上述の第１のオペレーション・システム２０のパーティションを共用でき、その上に、メモリのアクセス速度がハードディスクよりかなり速い特性により、従来の記憶装置にオペレーション・システムをアクセスすることのかわりに、ＲＡＭディスクに保存するオペレーション・システムをアクセスするから、コンピュータの性能を効果的に向上する。
【００１４】
上述の第１のオペレーション・システム２０は、Ｗｉｎｄｏｗｓ系列のオペレーション・システムが主となり、より大きいシステムリソース消費のオペレーション・システムで、Ｗｉｎｄｏｗｓ  ＸＰ（登録商標）やＷｉｎｄｏｗｓ  ＮＴ（登録商標）やＷｉｎｄｏｗｓ  ９８やＷｉｎｄｏｗｓ  ２０００やＷｉｎｄｏｗｓ  Ｍｅなどがざらにある。上述の第２のオペレーション・システム２５は、より少ないシステムリソース消費のオペレーション・システムで、Ｌｉｎｕｘ系列のオペレーション・システムが主となる。
【００１５】
上述の第２のオペレーション・システム２５は、圧縮ファイルや、実行ファイルや、イメージファイルなどである。上述の基本入出力システム１５は、解凍プログラムを内蔵し、上述の第２のオペレーション・システム２５を先に解凍して、上述のＲＡＭディスク３０にロードして実行する。その中に、上述の基本入出力システム１５がカスタマイズされ、このカスタマイズされた基本入出力システム１５の設定データにより、コンピュータをつける時、上述の第１のオペレーション・システム２０か上述の第１のオペレーション・システム２０に保存された上述の第２のオペレーション・システム２５かで起動するのを判断し、それから、起動するオペレーション・システムを上述のＲＡＭディスク３０にロードして実行し、よって、より大きいシステムリソース消費の第１のオペレーション・システムの待つ起動時間が減少できる。
【００１６】
図２は本発明のオペレーション・システムの共用パーティション方法のフローチャートを示す。その方法は、以下のステップを含む。
ステップＳ１０：ファイルシステムを含む第１のオペレーション・システムを提供し、
ステップＳ１２：前記第１のオペレーション・システムのファイルシステムに保存された第２のオペレーション・システムを提供し、
ステップＳ１４：メモリの一部を前記第２のオペレーション・システムのパーティションを支援するＲＡＭディスクにし、
ステップＳ１６：基本入出力システムにより前記第１のオペレーション・システムのファイルシステムに保存された前記第２のオペレーション・システムを前記ＲＡＭディスクにロードして実行する。
【００１７】
図１と図３を一緒に参照し、図３は本発明のオペレーション・システムの共用パーティション構造におけるオペレーション・システムのファイルシステムを共用するブロック図を示す。図を示すように、この構造は、入力ユニット５と、中央処理装置１０と、前記基本入出力システム１５と、前記第１のオペレーション・システム２０と、前記第２のオペレーション・システム２５と、応用ユニット３５と、インターフェースユニット４０と、データパラメータ４５を含む。その中に、上述の入力ユニット５は上述の中央処理装置１０に外部指示を伝送して、上述の基本入出力システム１５を駆動し、上述の第１のオペレーション・システムのファイルシステムに保存された上述の第２のオペレーション・システム２５をＲＡＭディスク３０にロードして実行する。上述の第２のオペレーション・システム２５において実行する応用ユニット３５は、上述のデータパラメータ４５を使用できるように、上述のインターフェースユニット４０を通し、上述のデータパラメータ４５を転換する。よって、アプリケーションソフトを二つのオペレーション・システムに夫々にインストールすることを減少し、保存する容量の節約と二つのオペレーション・システムの資源共用の目的が達成できる。
【００１８】
上述のデータパラメータ４５はビデオ・オーディオデータで、上述の応用ユニット３５はマルチメディア再生システムでもよい。上述のインターフェースユニット４０を通して、上述の第１のオペレーション・システム２０のビデオ・オーディオデータを共用する。
【００１９】
図１と図３と図４を一緒に参照し、図４は本発明のオペレーション・システムの共用パーティション構造における別のオペレーション・システムのファイルシステムを共用するブロック図を示す。図を示すように、この構造は、前記入力ユニット５と、前記中央処理装置１０と、前記基本入出力システム１５と、前記第１のオペレーション・システム２０と、前記第２のオペレーション・システム２５と、前記インターフェースユニット４０と、マルチメディア再生システム５０を含む。その中に、前記入力ユニット５と、前記中央処理装置１０と、前記基本入出力システム１５と、前記第１のオペレーション・システム２０と、前記第２のオペレーション・システム２５とは図１と図３を示す構造と同じである。上述のマルチメディア再生システム５０は上述の第１のオペレーション・システムにおいて少なくとも一つのビデオ・オーディオデータを再生できる。
【００２０】
よって、ユーザがマルチメディア再生システムを実行するため、コンピュータを起動する時、本発明はより少ないシステムリソース消費の第２のオペレーション・システム２５で起動し、直接にインターフェースユニット４０を実行してマルチメディア再生システム５０に関する係数を転換する。それから、ユーザはコンピュータの起動を完了した後、直接にマルチメディア再生システム５０が実行でき、ユーザの要求が速く満足できる。
【００２１】
図５は本発明のオペレーション・システムの共用パーティション方法のフローチャートを示す。その方法は、主に以下のステップを含む。
ステップＳ２０：少なくとも一つのデータパラメータを記録するためのファイルシステムを含む第１のオペレーション・システムを提供し、
ステップＳ２２：前記第１のオペレーション・システム２０において少なくとも一つのビデオ・オーディオデータを再生するためのマルチメディア再生システムを提供し、
ステップＳ２４：前記第１のオペレーション・システムのファイルシステムに保存された第２のオペレーション・システムを提供し、
ステップＳ２６：メモリの一部を前記第２のオペレーション・システムのパーティションを支援するＲＡＭディスクにし、
ステップＳ２８：基本入出力システムにより前記第１のオペレーション・システムのファイルシステムに保存された前記第２のオペレーション・システムを前記ＲＡＭディスクにロードして実行し、
ステップＳ３０：前記第２のオペレーション・システムにおいて応用ユニットを実行し、
ステップＳ３２：前記マルチメディア再生システムと前記データパラメータを前記第２のオペレーション・システムにおいて実行できるように、インターフェースユニットにより前記マルチメディア再生システムと前記データパラメータを転換し、
ステップＳ３４：前記マルチメディア再生システムと前記データパラメータの前記第１のオペレーション・システムにおける実行できる係数を保存し、
ステップＳ３６：前記マルチメディア再生システムと前記データパラメータを共用し、その中、応用ユニットが前記データパラメータを共用し、更に、前記第２のオペレーション・システムにおいて前記マルチメディア再生システムを共用し、
ステップＳ３８：実行完了した後、前記第１のオペレーション・システムの実行できるように前記マルチメディア再生システムと前記データパラメータを転換戻す。
【００２２】
結論として言えば、本発明はオペレーション・システムの共用パーティションの構造及びその方法に関する。ユーザは基本入出力システムによりコンピュータを起動し、前記第１のオペレーション・システムのファイルシステムに保存される前記第２のオペレーション・システムをＲＡＭディスクにロードして実行する。よって、記憶装置を前記第２のオペレーション・システムを保存するためにもう一つパーティションを区割りする必要がなく、更に、メモリのアクセス・スピードはハードディスクより非常に速い特性により、メモリにおいて実行する前記第２のオペレーション・システムは処理時間が短くできる。
【００２３】
更に、本発明は前記のインターフェースユニットで前記第１のオペレーション・システムのデータパラメータとマルチメディア再生システムとを転換し、前記第２のオペレーション・システムにおいて、前記第１のオペレーション・システムの資源を共用するから、アプリケーションソフトを二つのオペレーション・システムに夫々にインストールすることを減少し、保存する容量の節約と二つのオペレーション・システムの資源共用の目的が達成できる。
【００２４】
上記の説明が例示の実施例の表示するだけで、本発明の実施範囲を制限することではないと理解されなければならない。本発明は、本発明の精神を逸脱しない限り種々の改変を為すことができ、そして、本発明が前記改変されるものに及ぶことは当然である。
【図面の簡単な説明】
【００２５】
【図１】本発明のオペレーション・システムの共用パーティション構造を示す図である。
【図２】本発明のオペレーション・システムの共用パーティション方法のフローチャートを示す図である。
【図３】本発明のオペレーション・システムの共用パーティション構造におけるオペレーション・システムのファイルシステムを共用するブロック図である。
【図４】本発明のオペレーション・システムの共用パーティション構造における別のオペレーション・システムのファイルシステムを共用するブロック図である。
【図５】本発明のオペレーション・システムの共用パーティション方法のフローチャートを示す図である。
【符号の説明】
【００２６】
５    入力ユニット
１０    中央処理装置
１５    基本入出力システム
２０    第１のオペレーション・システム
２５    第２のオペレーション・システム
３０    ＲＡＭディスク
３５    応用ユニット
４０    インターフェースユニット
４５    データパラメータ
５０    マルチメディア再生システム
【図１】
2006164216.tif 000003
【図２】
2006164216.tif 000004
【図３】
2006164216.tif 000005
【図４】
2006164216.tif 000006
【図５】
2006164216.tif 000007